(57)【要約】【課題】  フライホイールの回転を独楽本体に伝達して、フライホイールと独楽本体の回転を一体化することができる興趣ある独楽玩具を提供する。【解決手段】  独楽玩具１は、独楽本体１０と、独楽本体１０の略中心に回動可能に設けられた回転軸２と、独楽本体１０内に設けられ、回転軸２に固定されたフライホイール３１と、回転軸２に取り付けられたピニオン４５とからなる。フライホイール３１には、独楽本体１０の内面に形成された係合部２０に係脱する係合部材４０が設けられている。係合部材４０は、独楽本体１０の係合部２０に係合する係合位置と係合しない非係合位置に移動可能であって、フライホイール３１の回転時に係合部２０と係合してフライホイール３１の回転を独楽本体１０に伝達するように構成されている。【選択図】図１
2010201015.tif 000002
【特許請求の範囲】
【請求項１】
独楽本体と、
独楽本体の略中心に回動可能に設けられた回転軸と、
独楽本体内に設けられ、回転軸に固定されたフライホイールと、
回転軸に取り付けられたピニオンとからなる独楽玩具において、
フライホイールには、独楽本体の内面に形成された係合部に係脱する係合部材が設けられており、
係合部材は、独楽本体の係合部に係合する係合位置と係合しない非係合位置に移動可能であって、フライホイールの回転時に略係合部と係合してフライホイールの回転を独楽本体に伝達するように構成されていることを特徴とする独楽玩具。
【請求項２】
係合部材は、フライホイールに形成された凹部に設けられた球体であり、フライホイールと独楽本体の回転時に独楽本体が制動されると、係合部を係脱しながらフライホイールの回転を停止させるように構成されていることを特徴とする請求項１記載の独楽玩具。
【請求項３】
前記独楽本体に回動可能に取り付ける枠部材を有し、
枠部材には、持ち手部と前記回転軸のピニオンと噛み合うラックを案内する案内部が設けられていることを特徴とする請求項１又は２記載の独楽玩具
【請求項４】
前記枠部材には、独楽本体に接離可能なブレーキ片を備えた回動部材が設けられており、
回動部材は、ブレーキ片が独楽本体から離間する非当接位置と、ブレーキ片が独楽本体に当接する当接位置に回動可能であり、衝撃時に非当接位置から当接位置に回動するように構成されていることを特徴とする請求項３記載の独楽玩具。
【請求項５】
前記枠部材には、自重により走行面に当接する回動可能なガイド片を有し、
走行面に形成された案内溝にガイド片が案内されると、独楽本体が案内溝に沿って進行可能となると共に枠部材の向きが保持されることを特徴とする請求項３又は４記載の独楽玩具。
【発明の詳細な説明】
【技術分野】
【０００１】
本発明は、フライホイールを内蔵した独楽玩具に関する。
【背景技術】
【０００２】
従来、独楽玩具は、独楽本体と、独楽本体の略中心に回動可能に設けられた回転軸と、独楽本体内に設けられ、回転軸に固定されたフライホイールと、回転軸に取り付けられたピニオンとからなる（例えば、特許文献１、２）。この従来の独楽玩具は、回転軸に設けられたピニオンにラックを噛み合わせ、ラックを引っ張ることにより、フライホイールが高速回転し、その回転慣性力により、独楽本体が連動して回転してもその回転を止めても回転軸を立たせた状態で維持することができる。
【先行技術文献】
【特許文献】
【０００３】
【特許文献１】実開昭４７−９５９６号公報
【特許文献２】実用新案登録第３０２５０１７号公報
【発明の概要】
【発明が解決しようとする課題】
【０００４】
上記した独楽玩具は、フライホイールの回転によって独楽本体も連動して回転してしまうものの、フライホイールの回転が独楽本体に能動的に伝達されていないため、外力によって独楽本体の回転が簡単に止まるという問題点があった。従って、上記した独楽玩具は、複数の独楽同士を接触させて戦わせても回転による瞬発的衝突力を伴う迫力が得られないという問題点があった。また、従来のフライホイールを内蔵した独楽玩具において、回転しているフライホイールを積極的に止めることを案出したものはなく、さらに従来の独楽玩具は、フライホイールの回転によって独楽本体も連動して回転してしまうので、独楽本体に取り付けた装飾体も回転してしまうという問題点があった。
【０００５】
本願発明は、上記問題点に鑑み案出したものであって、フライホイールの回転を独楽本体に能動的に伝達して、独楽本体とフライホイールを一体化して回転させることができる一方、回転している独楽本体を制動するとフライホイールの回転を停止させることができる、興趣ある独楽玩具を提供することを第１の目的とする。また、前記効果を有する独楽本体に枠部材を回動可能に取り付けた興趣ある独楽玩具を提供することを第２の目的とする。枠部材に設けられた回動部材において、回転時の独楽本体に外力による衝撃により回動して当接し、この回転を停止させるブレーキ片を備えた興趣ある独楽玩具を提供することを第３の目的とする。枠部材に走行面の案内溝に案内される回動可能なガイド片を備え、枠部材及び装飾体の向きを安定させることができる興趣ある独楽玩具を提供することを第４の目的とする。
【課題を解決するための手段】
【０００６】
本願請求項１記載の独楽玩具は、上記第１の目的を達成するため、独楽本体と、独楽本体の略中心に回動可能に設けられた回転軸と、独楽本体内に設けられ、回転軸に固定されたフライホイールと、回転軸に取り付けられたピニオンとからなる独楽玩具において、フライホイールには、独楽本体の内面に断続的に形成された係合部に係脱する係合部材が設けられており、係合部材は、独楽本体の係合部に係合する係合位置と係合しない非係合位置に移動可能であって、フライホイールの回転時に係合部材が係合部に係止され、略係合部に圧接されてフライホイールの回転を独楽本体に伝達するように構成されていることを特徴とする。
【０００７】
本願請求項２記載の独楽玩具は、上記第１の目的を達成するため、係合部材は、フライホイールに形成された凹部に設けられた球体であり、フライホイールと独楽本体の回転時に独楽本体を制動すると、係合部を係脱しながら回転速度が減速され、この抵抗力で係止しながらフライホイールの回転を停止させるように構成されていることを特徴とする。また、前記係合部は突出部位を形成してなるもので、この突出量が回転もしくは制動の伝達速度ならびに伝達強度を調整ならしむものである。
【０００８】
本願請求項３記載の独楽玩具は、上記第２の目的を達成するため、前記独楽本体に回動可能に取り付ける枠部材を有し、枠部材には、持ち手部と前記回転軸のピニオンと噛み合うラックを案内する案内部が設けられていることを特徴とする。
【０００９】
本願請求項４記載の独楽玩具は、上記第３の目的を達成するため、前記枠部材には、独楽本体に接離可能なブレーキ片を備えた回動部材が設けられており、回動部材は、ブレーキ片が独楽本体から離間する非当接位置と、ブレーキ片が独楽本体に当接する当接位置に回動可能であり、衝撃時に非当接位置から当接位置に回動するように構成されていることを特徴とする。
【００１０】
本願請求項５記載の独楽玩具は、上記第４の目的を達成するため、前記枠部材には、自重により走行面に当接する回動可能なガイド片を有し、走行面に形成された案内溝にガイド片が案内されると、独楽本体が案内溝に沿って進行可能となると共に枠部材の向きが保持されることを特徴とする。
【発明の効果】
【００１１】
本願発明に係る独楽玩具は、枠部材の持ち手部を把持し、ラック案内部を経てピニオンにラックを噛み合わせ、ラックを引っ張ることにより、回転軸を介してフライホイールが回転し、フライホイールに設けられた係合部材が遠心力により非係合位置から係合位置に移動し、断続的に係合部に係脱しながら係止され、略係合部を圧接して独楽本体に回転力を伝達する。枠部材の持ち手部が把持され固定された状態で、この内部でフライホイールは回動自由な独楽本体と一体化して回転慣性力を維持する。さらに、本願発明に係る独楽玩具は、枠部材の露出部から独楽本体そのものを把持もしくは外部衝撃等によりその回転を制動させると、圧接されていた係合部材が独楽本体の係合部を係脱し、内部衝撃を伴って逆にフライホイールの回転を弱め、フライホイールの回転を停止させることができるという効果がある。また、高速回転するフライホイールに直接触れることがなく、安全性が高い効果も伴う。
【００１２】
本願発明に係る独楽玩具は、係合部材が球体であると、独楽本体の係合部に対する係脱がスムーズに行われ、フライホイール及び独楽本体の損傷を少なくし、寿命を大幅に向上させることができるという効果がある。また、係合部は独楽本体内面に突出部位を形成してなるもので、この突出量を調整することによって独楽本体を回転させる伝達速度、ならびに独楽本体を制動させたときの衝撃力を調整することができる。
【００１３】
本願発明に係る独楽玩具は、前記独楽本体に回動可能に取り付ける枠部材を有し、枠部材には、前記回転軸のピニオンと噛み合うラックを案内する案内部が形成されており、枠部材の持ち手部を把持してラックを引くことによってフライホイールを回転させることができ、係合部材を経てほぼ同時に独楽本体にも回転力を伝達してこれを回転させ、回転エネルギーの損失を最小限にすることができるという効果がある。
【００１４】
本願発明に係る独楽玩具は、衝撃時に枠部材に設けられた回動部材が回動してブレーキ片が独楽本体の当接位置に移動し、独楽本体の回転を阻止し、フライホイールの回転により遠心力で係合位置に移動している係合部材が独楽本体の係合部に係脱してフライホイールの回転を弱め、フライホイールの回転を積極的に停止させることができるという効果がある。
【００１５】
本願発明に係る独楽玩具は、枠部材に走行面の案内溝に案内される回動可能なガイド片を備えているので、走行面に形成された案内溝にガイド片が案内されると、独楽本体が案内溝に沿って進行可能となると共に、枠部材とこの回動部材に取り付けた装飾体の向きを一定方向に安定させることができるという効果がある。
【図面の簡単な説明】
【００１６】
【図１】本願発明に係る独楽玩具の全体斜視図である。
【図２】図１の独楽玩具の説明図であって、（ａ）が上面図、（ｂ）が下面図である。
【図３】図１の独楽玩具の説明図であって、（ａ）が正面図、（ｂ）が図２のＡ−Ａ断面図である。
【図４】図１の独楽玩具の説明図であって、（ａ）が側面図、（ｂ）が図２のＢ−Ｂ断面図、（ｃ）が図２のＣ−Ｃ断面図である。
【図５】図１の独楽玩具の内部構造図であって、（ａ）が全体正面断面図、（ｂ）が独楽本体の正面断面図である。
【図６】図１の独楽玩具の独楽本体を構成する下ケースの説明図である。
【図７】図１の独楽玩具の独楽本体を構成する上ケースの説明図である。
【図８】図１の独楽玩具のフライホイールの説明図である。
【図９】図１の独楽玩具のピニオン部材の説明図である。
【図１０】図１の独楽玩具の下枠体の説明図である。
【図１１】図１の独楽玩具のガイド片の説明図である。
【図１２】図１の独楽玩具の上枠体の説明図である。
【図１３】図１の独楽玩具の回動部材の説明図である。
【図１４】図１の独楽玩具のラック部材の説明図である。
【図１５】図１の独楽玩具を走行させる走行盤の説明図である。
【発明を実施するための形態】
【００１７】
本願発明の一つの実施の形態の概要を図１乃至図５に基づいて説明する。独楽玩具１は、独楽本体１０と、独楽本体１０の略中心に回動可能に設けられた回転軸２と、独楽本体１０内に設けられ、回転軸２に固定されたフライホイール３１と、回転軸２に取り付けられたピニオン４５とからなる。フライホイール３１には、独楽本体１０の内面に断続的に形成された係合部２０に係脱する係合部材４０が設けられている。係合部材４０は、独楽本体１０の係合部２０に係合する係合位置と係合しない非係合位置に移動可能であって、フライホイール３１の回転時に係合部２０に係止され、略係合部に係合してフライホイール３１の回転を独楽本体１０に伝達するように構成されている。
【００１８】
独楽玩具１の係合部材４０は、フライホイール３１に形成された凹部３９に設けられた球体であり、フライホイール３１と独楽本体１０の回転時に独楽本体１０を制動すると、係合部２０に係脱しながらその抵抗力でフライホイール３１を係止し、この回転を停止させるように構成されている。また、係合部２０は独楽本体内面に突出部位を形成してなるもので、この突出量を調整することによってフライホイール３１の回転を独楽本体１０に伝達するときの伝達速度、ならびに独楽本体１０を制動させたときに発生する衝撃力の強度を調整することができる。これは、素手で回転する独楽本体に触れてしまった場合でも衝撃力が緩和され、フライホイールには直接触れることがなく、安全性が高い効果を伴う。独楽玩具１は、前記独楽本体１０に回動可能に取り付ける枠部材５０を有する。枠部材５０には、持ち手部９０と前記回転軸２のピニオン４５と噛み合うラック５を案内する案内部７１，７２が形成されている。
【００１９】
独楽玩具１の前記枠部材５０には、独楽本体１０に接離可能なブレーキ片９５を備えた回動部材９１が設けられている。回動部材９１は、ブレーキ片９５が独楽本体１０から離間する非当接位置と、ブレーキ片９５が独楽本体１０に当接する当接位置に回動可能であり、衝撃時に非当接位置から当接位置に回動するように構成されている。また、独楽玩具１の前記枠部材５０には、自重により回動して走行面１０１に当接するガイド片８１を有し、走行面１０１に形成された案内溝１０２にガイド片８１が案内されると、独楽本体１０が案内溝１０２に沿って進行可能となると共に枠部材５０の向きが保持される。
【００２０】
独楽玩具１は、枠部材５０の持ち手部９０を把持し、ピニオン４５にラック５を噛み合わせ、ラック５を引っ張ることにより、回転軸２を介してフライホイール３１が回転をし、フライホイール３１の回転慣性力により独楽本体１０の回転軸２を立たせた状態で維持することができる。回転を与えられたフライホイール３１に設けられた係合部材４０は、遠心力により係合位置に移動し、係合部２０に係脱しながら静止状態にある独楽本体１０に回転力伝達を開始する。
【００２１】
独楽本体１０が回転を始め、係合位置に移動した係合部材４０が係脱を経て係合部２０に係止され、略係合部に係合して圧接すると、独楽本体１０はフライホイール３１と一体化して回転するようになる。この一連の動作は瞬時にして行われ、フライホイール３１と独楽本体１０は枠部材５０に対して回動自由であり、かつ枠部材５０は把持により固定されているので、回転エネルギーの損失を最小限に留めてフライホイール３１と独楽本体１０とをほぼ同時に一体化して回転させることができる。また、独楽玩具１は、枠部材５０の露出部から回転中の独楽本体１０そのものを把持もしくは外部衝撃等によりその回転を停止させると、圧接されていた係合部材４０が独楽本体１０の係合部２０に係脱し、内部衝撃を伴って逆にフライホイール３１の回転を弱め、フライホイール３１の回転を停止させることができる。これは、高速回転するフライホイールに直接触れることがなく、安全性が高い効果も伴う。
【００２２】
独楽玩具１は、係合部材４０が球体であると、独楽本体１０の係合部２０に対する係脱がスムーズに行われ、フライホイール３１及び独楽本体１０の損傷を少なくし、寿命を大幅に向上させることができる。この係合部２０は突出部位を形成してなるもので、この突出量を調整することによってフライホイール３１の回転を独楽本体１０に伝達するときの伝達速度、ならびに独楽本体１０を制動させたときにフライホイール３１との間に発生する衝撃力ひいては制動力の強度を調整することができる。これは、素手で回転する独楽本体に触れてしまった場合でも衝撃力が緩和され、安全性が高い効果を伴う。また、独楽玩具１は、前記独楽本体１０に回動可能に取り付けた枠部材５０を有し、枠部材５０には、前記回転軸２のピニオン４５と噛み合うラック５を案内する案内部７１，７２が形成されている。さらに、枠部材５０は持ち手部９０を有しているので、これを把持してラック５を引くとフライホイール３１を楽に回転させることができる。
【００２３】
独楽玩具１は、衝撃時に回動部材９１が回動してブレーキ片９５が独楽本体１０の当接位置に移動し、独楽本体１０の回転を阻止し、フライホイール３１の回転により遠心力で係合位置に移動している係合部材４０が独楽本体１０の係合部２０に係脱してフライホイール３１の回転を弱め、フライホイール３１の回転を停止させることができる。独楽玩具１は、枠部材５０に走行面１０１の案内溝１０２に案内される回動可能なガイド片８１を備えているので、走行面１０１に形成された案内溝１０２にガイド片８１が案内されると、独楽本体１０が案内溝１０２に沿って進行可能となると共に枠部材５０とこれに取り付けられる装飾体９９の向きを一定方向に安定させることができる。
【００２４】
さらに、独楽玩具１について詳細に説明する。図１に示すように、独楽本体１０は、下ケース１１と上ケース２１とからなり、円盤状に形成されている。図６に示すように、下ケース１１は、円板状の底壁１２と、底壁１２の周囲に形成された下周壁１３とからなる。底壁１２の内側面略中央には、円形の嵌合凸部１４が形成され、底壁１２の外側面略中央には、円形の凹部１５が形成されている。さらに、嵌合凸部１４の略中心には、底壁１２を貫通する軸受け孔１６が形成されている。下周壁１３の内側面には、略９０度間隔でボス１７が突設されている。各ボス１７には、雌ネジ孔１８が形成され、内側端に係合板１９が設けられている。係合板１９の内面略中央には、係合凸部（係合部）２０が形成されている。
【００２５】
図７に示すように、上ケース２１は、円板状の上壁２２と、上壁２２の周囲に形成された上周壁２３とからなる。上壁２２の略中央には、上壁２２を貫通する軸受け孔２６が形成されている。上周壁２３には、略９０度間隔で前記下ケース１１の係合板１９を嵌め込む切り欠き２７が形成されている。この切り欠き２７の略中心には、前記下ケース１１のボス１７を嵌合する嵌合凹部２９が形成されている。嵌合凹部２９の略中心には、前記ボス１７の雌ネジ孔１８と略同一軸心となる通し孔２８が設けられている。
【００２６】
図５に示すように、独楽本体１０は、下ケース１１と上ケース２１を重ね合わせることによって形成され、下ケース１１の下周壁１３の内側に上ケース２１の上周壁２３が位置する。さらに、下ケース１１の係合板１９が上ケース２１の切り欠き２７に嵌め込まれ、下ケース１１のボス１７の先端が上ケース２１の嵌合凹部２９に嵌合する。上ケース２１の通し孔２８にネジを通し、このネジを下ケース１１の雌ネジ孔１８に螺合することにより、上ケース２１と下ケース１１が一体化して独楽本体１０を構成する。独楽本体１０は、上壁２２と底壁１２と上周壁２３と係合板１９とによって空間が形成されることになる。この空間の周壁は、上周壁２３と等間隔で設けられた係合板１９とによって構成され、略９０度間隔で係合凸部（係合部）２０が配置された構成となる。
【００２７】
図８に示すように、フライホイール３１は、慣性質量の大きい金属などによって円盤状に形成されている。フライホイール３１は、略中心に回転軸２を固定する中心孔３２が形成され、上面３３に前記中心孔３２を中心とする円形の取付凹部３５が設けられ、下面３６に前記中心孔３２を中心とする円形のガイド凹部３７が設けられている。また、フライホイール３１は、周面３８の対向する位置に収納凹部３９，３９が形成されている。図５に示すように、当該収納凹部３９内には、金属製の球体４０が収納される。
【００２８】
図５に示すように、フライホイール３１の取付凹部３５には、ピニオン部材４１が固定される。図９に示すように、ピニオン部材４１は、円板状のフランジ４２と、フランジ４２の略中心に形成された円軸部４３と、円軸部４３の先端に設けられたピニオン４５とからなる。ピニオン部材４１は、フランジ４２がフライホイール３１の取付凹部３５に嵌合し、ネジ等の固定手段によってフライホイール３１に固定されている。ピニオン部材４１は、中心に軸孔４６が貫通して形成され、前記回転軸２が軸孔４６に挿通固定される。
【００２９】
フライホイール３１は、前記独楽本体１０内に回動可能に取り付けられる。フライホイール３１に取り付けられたピニオン部材４１の円軸部４３は、上ケース２１の軸受け孔２６に軸受けされ、ピニオン４５が上ケース２１の上壁２２から外側に突出している。また、回転軸２は、下部が下ケース１１の底壁１２に形成された軸受け孔１６に軸受けされ、底壁１２から下側に突出している。下ケース１１の嵌合凸部１４は、フライホイール３１のガイド凹部３７に嵌合する。フライホイール３１の収納凹部３９内に設けられた球体４０は、収納凹部３９内を出没することができ、収納凹部３９内に没入すると、上周壁２３及び係合板１９と接触しない非接触位置（非係合位置）に移動し、収納凹部３９内から突出すると、上周壁２３及び係合板１９と接触する接触位置（係合位置）に移動する。
【００３０】
図１に示すように、枠部材５０は、下枠体５１と、上枠体６１とからなる。図１０に示すように、下枠体５１は、略コ字状に形成され、下壁５２と、下壁５２の両側に形成された下部連結脚５３，５３とからなる。下壁５２の内側面略中央には、円形の嵌合突起５４が形成され、下壁５２の内側面略中央には、円形の凹部５５が形成されている。さらに、嵌合突起５４の略中心には、下壁５２を貫通する軸受け孔５６が形成されている。下壁５２の外側面には、一対の軸受け片５７，５７が突設されている。軸受け片５７には、軸受け穴５８が形成されている。一対の軸受け片５７，５７の略中心と軸受け孔５６の略中心を結ぶ延長線が、枠部材５０の略中心線となる。
【００３１】
図４に示すように、下枠体５１の軸受け片５７，５７間には、ガイド片８１が設けられている。図１１に示すように、ガイド片８１は、略Ｌ字状のガイドアーム８２と、ガイドアーム８２の一端に取り付けられた取付ボス８３とからなる。取付ボス８３の略中心には、軸孔８５が形成されている。ガイド片８１は、取付ボス８３が下枠体５１の軸受け片５７，５７間に配設され、支軸８６を軸受け片５７，５７の軸受け穴５８，５８と取付ボス８３の軸孔８５に挿通することによって、軸受け片５７，５７に回動可能に取り付けられ、ガイドアーム８２が揺動するようになっている。
【００３２】
図１２に示すように、上枠体６１は、略コ字状に形成され、上壁６２と、上壁６２の両側に形成された上部連結脚６３，６３とからなる。上壁６２の略中央には、前記ピニオン４５を突出させる開口６４が形成されている。上壁６２の上面には、開口６４を覆う矩形状のカバー体６５が設けられている。カバー体６５は、上壁６６と、前壁６７と、後壁６８と、左壁６９と、右壁７０とからなる。前壁６７及び後壁６８には、ラック部材３を案内してピニオン４５にラック５を噛み合わせる左案内口７１と右案内口７２が形成されている。上壁６２の後縁近傍には、半円状に形成された摺接突起７５，７５が一対設けられている。また、左壁６９及び右壁７０の後縁近傍には、逆Ｕ字状の軸受け凹部７６，７６が設けられている。また、上壁６６の内面には、回転軸２の軸受け穴７８が形成されている。なお、ラック部材３は、図１４に示すように、ラック５と、ラック５の一端に設けられた摘み部６とからなり、摘み部６には指掛け穴７が形成されている。
【００３３】
上枠体６１には、回動部材９１が回動可能に取り付けられている。図１３に示すように、回動部材９１は、作動板９２と、作動板９２の両側に設けられた脚片９３，９３と、脚片９３，９３の後端に形成されたブレーキ片９５，９５とからなる。作動板９２は、前記上枠体６１の軸受け凹部７６，７６に脚片９３，９３が支軸９４，９４によって回動可能に連結され、上枠体６１の前記摺接突起７５，７５に摺接する半円状の摺接凸部９６，９６が形成されている。
【００３４】
摺接凸部９６，９６は、Ｕ字状の切り欠き９７，９７によって弾性を備えており、上枠体６１の前記摺接突起７５，７５に圧接する。前記ブレーキ片９５，９５は、回動部材９１が回動すると、上枠体６１，６１に形成された開口７７，７７から上枠体６１，６１の内側に突出し、独楽本体１０の上ケース２１の上壁２２に当接し、独楽本体１０の回転にブレーキをかけることができる。回動部材９１は、摺接凸部９６，９６と摺接突起７５，７５との摺接により、ブレーキ片９５，９５の当接位置と非当接位置に位置決めされる。図４に示すように、回動部材９１の作動板９２には、人形玩具の胴部、頭部等の装飾体９９を装着することができる係止爪９８，９８が形成されている。
【００３５】
図３に示すように、枠部材５０は、上枠体６１の軸受け穴７８に回転軸２の上部を回動可能に差し込み、下枠体５１の軸受け孔５６に回転軸２の下部を回動可能に差し込み、上枠体６１の上部連結脚６３，６３と下枠体５１の下部連結脚５３，５３をネジ等により固定して形成される。回転軸２のピニオン４５は、上枠体６１のカバー体６５内に位置する。下枠体５１の嵌合突起５４は、下ケース１１の凹部１５に嵌合する。回転軸２は、下部が下枠体５１の凹部５５内に突出し、この突出した回転軸２の下部に回転軸カバー８が固定して装着されている。なお、枠部材５０は、これの把持を容易にするため持ち手部９０を形成することが望ましい。持ち手部９０は、上枠体６１の上部連結脚６３，６３と、下枠体５１の下部連結脚５３，５３の接合によって取り付けられる構成にすることが可能であるが、これに限定されるものではない。
【００３６】
独楽玩具１は、上記構成を有し、走行盤に載せて以下のように使用することができる。なお、走行盤１００は、一段低くなった走行面１０１と、同じく一段低くなった案内溝１０２を有し、走行面１０１と案内溝１０２は連続している。
【００３７】
独楽玩具１は、回動部材９１のブレーキ片９５が独楽本体１０から離間している非当接位置に位置している状態の時が初期状態であって、摺接凸部９６と摺接突起７５とによって位置決めされている。枠部材５０の持ち手部９０を把持し、枠部材５０の左案内口７１（又は右案内口７２）からラック部材３を差し込むと、ラック５が回転軸２のピニオン４５と噛み合う。ラック部材３を引っ張ると、ラック５がピニオン４５を回転させ、回転軸２を介してフライホイール３１が高速回転する。フライホイール３１が高速回転するので、遠心力により球体４０が係合位置に移動して独楽本体１０の係合凸部２０に係止され略係合部に係合し、独楽本体１０も回転する。
【００３８】
独楽玩具１は、フライホイール３１を回転させた状態で走行盤１００の走行面１０１に載せると、このフライホイール３１の回転慣性力により、回転軸カバー８が接地した状態で回転軸２を中心にして立つことになる。独楽玩具１が走行面１０１に位置している時には、回転軸２及びガイド片８１が何等規制されていないので、回転軸２の回転に伴って枠部材５０も回転を行う。枠部材５０の回動部材９１の係止爪９８，９８に取り付けられた装飾体９９も回転を行う。
【００３９】
独楽玩具１が案内溝１０２に移動すると、回転軸２及びガイド片８１が案内溝１０２に案内されることになり、枠部材５０及び装飾体９９が所定方向を向いて移動する。即ち、独楽玩具１は、走行面１０１の時には、何等規制されず自由に移動し、枠部材５０及び装飾体９９が回転するが、案内溝１０２に移動すると、回転軸２及びガイド片８１が案内溝１０２に案内され、枠部材５０及び装飾体９９が所定方向を向いて移動する。
【００４０】
複数の独楽玩具１を走行盤１００に載せると、複数の独楽玩具１は、装飾体９９同士が衝突することになる。装飾体９９の衝突によって、一方又は両方の回動部材９１が回転し、ブレーキ片９５，９５が上枠体６１の開口７７，７７から下方に突出して独楽本体１０に当接する。独楽本体１０は、ブレーキ片９５，９５によって回転が阻止され、回転速度を徐々に落として停止する。独楽本体１０が回転を停止するので、フライホイール３１の球体４０が独楽本体１０の係合凸部２０に係脱しながら回転を減速し、フライホイール３１も回転を停止して、独楽玩具１は倒れる。このように、独楽玩具１は、格闘ゲームとしても利用することができ、装飾体９９が衝撃を受けて回動すると、フライホイール３１の回転が停止して倒れ、戦いに負けた事になる。
【００４１】
上記実施の形態では、独楽本体１０の係合部を係合凸部２０で説明したが、係合部を係合凹部で構成しても構わない。このように構成しても、フライホイール３１の回転による遠心力により付勢された球体４０が独楽本体１０の係合凹部に係合して、フライホイール３１の回転を独楽本体１０に伝達することができる。このように、独楽本体１０の係合部は、球体４０が係脱可能に係合する構成であれば良いので、設計技術上多種多様な構成が考えられる。また、フライホイール３１の係合部材は、球体４０で説明したが、フライホイール３１の回転による遠心力によりフライホイール３１から突出して独楽本体１０の係合部に係合する構成であれば良いので、球体に限定されるものではない。
【産業上の利用可能性】
【００４２】
本願発明は、フライホイールを内蔵した独楽玩具に利用可能である。
【符号の説明】
【００４３】
１  独楽玩具
２  回転軸
３  ラック部材
５  ラック
６  摘み部
７  指掛け穴
８  回転軸カバー
１０  独楽本体
１１  下ケース
１２  底壁
１３  下周壁
１４  嵌合凸部
１５  凹部
１６  軸受け孔
１７  ボス
１８  雌ネジ孔
１９  係合板
２０  係合凸部（係合部）
２１  上ケース
２２  上壁
２３  上周壁
２６  軸受け孔
２７  切り欠き
２８  通し孔
２９  嵌合凹部
３１  フライホイール
３２  中心孔
３３  上面
３５  取付凹部
３６  下面
３７  ガイド凹部
３８  周面
３９  収納凹部
４０  球体（係合部材）
４１  ピニオン部材
４２  フランジ
４３  円軸部
４５  ピニオン
４６  軸孔
５０  枠部材
５１  下枠体
５２  下壁
５３  下部連結脚
５４  嵌合突起
５５  凹部
５６  軸受け孔
５７  軸受け片
５８  軸受け穴
６１  上枠体
６２  上壁
６３  上部連結脚
６４  開口
６５  カバー体
６６  上壁
６７  前壁
６８  後壁
６９  左壁
７０  右壁
７１  左案内口
７２  右案内口
７５  摺接突起
７６  軸受け凹部
７７  開口
７８  軸受け穴
８１  ガイド片
８２  ガイドアーム
８３  取付ボス
８５  軸孔
８６  支軸
９０  持ち手部
９１  回動部材
９２  作動板
９３  脚片
９４  支軸
９５  ブレーキ片
９６  摺接凸部
９７  切り欠き
９８  係止爪
９９  装飾体
１００  走行盤
１０１  走行面
１０２  案内溝
【図１】
2010201015.tif 000003
【図２】
2010201015.tif 000004
【図３】
2010201015.tif 000005
【図４】
2010201015.tif 000006
【図５】
2010201015.tif 000007
【図６】
2010201015.tif 000008
【図７】
2010201015.tif 000009
【図８】
2010201015.tif 000010
【図９】
2010201015.tif 000011
【図１０】
2010201015.tif 000012
【図１１】
2010201015.tif 000013
【図１２】
2010201015.tif 000014
【図１３】
2010201015.tif 000015
【図１４】
2010201015.tif 000016
【図１５】
2010201015.tif 000017